(57)【要約】【課題】浴室の洗い場に立った姿勢で、軽く浴槽をなでる程度の軽微な労力により浴槽内を洗うことができる浴槽洗い器を提供すること。【解決手段】柄１のスライド伸縮により、柄の長さを自由に伸縮できる。柄１と洗い具（スポンジ状）２の接合部を球形と球形にくりぬいたものとの接合により、接合角度が自由になる。洗い具２は引き抜き、押し込みによるワンタッチで脱着可能である。振  動器１２とバッテリー１５によって発生する振動により浴槽洗いを補う。握り手３と柄１は脱着式とし、握り手３に納めたバッテリー１５はこれに付随したプラグ１６をコンセントに差すことにより充電し、繰り返し使用できる。これらの特徴を有する器具である。【選択図】図１
2006000244.tif 000002
【特許請求の範囲】
【請求項１】
下記の用件を具えたことを特徴とする伸縮型振動式浴槽洗い器。
（イ）下部柄４と上部柄５のスライドにより、柄１の長さを自由に伸縮することができる柄である。
（ロ）柄１と洗い具（スポンジ状）２との接合角度が自由になる。
（ハ）洗い具２が消耗した時、柄１と洗い具２を引き抜きにより取りはずせ、また新しい洗い具２を押し込みにより取り付けられる等、ワンタッチで脱着可能である。
（ニ）柄１内部に納めた振動器１２と握り手３内部に納めたバッテリー１５によって発生する振動を洗い具２に振動させる。この振動により浴槽洗いを補う器具である。
（ホ）握り手３と柄１は脱着可能。握り手３内部に納めたバッテリー１５に付随したプラグ１６を最寄りのコンセントに差すことにより充電し、繰り返し使用できる。
【発明の詳細な説明】
【技術分野】
【０００１】
本発明は、浴槽及び浴室を洗う器具に関するものである。
【背景技術】
【０００２】
従来の浴槽洗い器具は、洗い具（スポンジ状のもの）その物であったり、洗い具に長さ４０ｃｍ程度の柄が固定されているような器具がほとんどであり、器具本体に回転や振動といった洗う動きを持った器具がほとんどなかった。これらを使用して浴槽を洗うとすると、浴槽内に入ってしゃがんだ姿勢になり、器具を持つ手を動かし洗っていく作業となり、また洗い場から洗うとすると、しゃがんだ姿勢に加えて、浴槽内に体を乗り出した状態で、器具を持つ手を動かし洗っていく作業となっていた。また柄が付いている器具は洗い具と柄が固定されているため、浴槽の曲面に合わせて手や腕を動かし、柄の角度を変えなければならないものであった。
【０００３】
この改善策として特開２００１−７０２２４号は洗い具と柄の接合角度が１方向に１８０度の範囲動き、ある程度の曲面に対応するもの、また洗い具がファスナーによって取り付け、取り外しできるものが考案されている。
【特許文献１】特開２００１−７０２２４号公報
【発明の開示】
【発明が解決しようとする課題】
【０００４】
上記の従来の器具では、次のような課題がある。
（イ）浴槽洗いのしゃがんだ姿勢は足腰に負担がかかる作業であり、高齢者、身障者、足腰に負担をかけられない人等にとって困難な作業である。
（ロ）器具本体に洗う動きを持った器具がないため、手を動かし洗っていく作業となっている。
（ハ）洗い具に柄が固定されている器具は浴槽の曲面に合わせて手や腕を動かさなければならない。
（ニ）特開２００１−７０２２４号は柄と洗い具の接合角度が１方向の１８０度であるため、球面部では曲面に沿うように器具を回すか、手や腕を動かさなければならない。また、洗い具の取り外し、取り付けは、ファスナーによるため、ワンタッチな作業でない。
【０００５】
そこで、この発明は、浴室の洗い場に立った姿勢で、軽く浴槽をなでる程度の軽微な労力により浴槽内を洗うことができ、さらに洗い具がワンタッチで取り替えられる浴槽洗い器を提供することである。
【課題を解決するための手段】
【０００６】
本発明の伸縮型振動式浴槽洗い器は下記の要件を具えてなるものである。
（イ）下部柄４と上部柄５のスライドにより、柄１の長さを自由に伸縮することができる柄である。
（ロ）柄１と洗い具（スポンジ状）２との接合角度が自由になる。
（ハ）洗い具２が消耗した時、柄１と洗い具２を引き抜きにより取りはずせ、また新たな洗い具２は押し込みにより取り付けられる等、固定金具を操作することなく、ワンタッチで脱着可能である。
（ニ）柄１内部に納めた振動器１２と握り手３内部に納めたバッテリー１５によって発生する振動を洗い具２に振動させることにより浴槽洗いを補う器具である。
（ホ）握り手３と柄１は脱着可能とし、握り手３内部に納めたバッテリー１５に付随したプラグ１６を最寄りのコンセントに差すことにより充電し、繰り返し使用できる。
【発明の効果】
【０００７】
本発明は、上記の様に本発明器具が（イ）柄の長さが自由に伸縮できる（ロ）器具本体に洗う動きがある（ハ）浴槽の形状に合わせて洗い具と柄の角度が自由に変化する。の機能を持つ器具により、誰もが気軽に、浴室の洗い場に立った姿勢で、軽く浴槽をなでる程度の軽微な労力により浴槽内を洗うことができ、これまでの労力の負担を軽減することとなる。また、維持管理としても容易な充電、容易な洗い具の取り替となり、より一層、浴槽の掃除を容易なものとする。
【発明を実施するための最良の形態】
【０００８】
以下、実施の形態を示す図面に基づき、本発明を詳説する。
【０００９】
柄１の構造材は下部柄４と上部柄５、これらの柄を固定するストップリング６から成る。下部柄４は上部柄５よりひとまわり管口径が小さく、上部柄５の管の中に入りスライドする。このスライドの調整により、自由な柄の長さを可能とする。このスライドの固定は、ストップリング外リング６ａを上部柄５の端部に設けたネジ切りにネジ込むことで、ストップリング内リング６ｂが下部柄４の管を締め付け、ストップリング内リング６ｂと下部柄４の管との摩擦により固定する。
【００１０】
洗い具２はスポンジ状の物７と洗い具取付棒８を接着固定したもので、消耗品とする。洗い具取付棒８の先端は球の形状を成し、この球体を接合棒９の先端（球体にくりぬいた部分）に挿入することで接合する。接合が球体であるため、この接合部は自由な角度を成す。また接合棒９の球体にくりぬいた先端は切り込みを設ける。この切り込みにより、挿入部は若干の弾力性を有する。この弾力性により、洗い具取付棒８の引き抜きによる取り外し、球体の押し込みによる挿入取り付けが可能となり、ワンタッチで脱着するものとなる。
【００１１】
下部柄４の洗い具２側の先端は、内部に振動器１２、この振動器１２に付随し延び出た振動伝達軸１１、この振動伝達軸１１の防水及び補強として補強キャップ１０を設ける。補強キャップ１０は下部柄４にねじ込み固定とする。さらにこの先に振動伝達軸１１に差し込む形態で取り付けとなる接合棒９を設け、洗い具２と接合し、振動を洗い具２に伝える。接合棒９は引き抜きによる取り外し可能とし、取り替えられる形態のものである。
【００１２】
握り手３は滑りにくいゴム質素材あるいはプラスチック系素材で被覆したものである。握り手３の上部柄側に振動器作動の発停を行うスイッチ１４を設ける。握り手３の内部はバッテリー１５を備え、このバッテリー１５を容易に充電可能なものとして、プラグ１６を付随したものとする。このプラグ１６は、握り手３の端部に設け、手動回転により握り手３から突出した形態となるものとする。プラグ収納部は防水性確保としてねじ込み式の吊りさげ用キャップ１７を設ける。このキャップ１７は本発明器具を吊り下げ収納できるものとして、引っかけ用の穴を設けたものとする。
【００１３】
バッテリー１５と振動器１２は電線１３によってつなぎ通電する。握り手３と上部柄５は脱着分離となるため、プラスとマイナスの端子を付けた板を握り手３と上部柄５の接合部にそれぞれ設け、握り手３を上部柄５にねじ込んだ際に各板が接合し通電が可能なものとなる。
【００１４】
下部柄４と補強キャップ１０の接合部、ストップリング外リング６ａと上部柄５の接合部、上部柄５と握り手３の接合部、さらに握り手３と吊り下げ用キャップ１７との接合部は防水性確保として、ねじ込み接合とし、防水用ゴムリング１８を設ける。
【図面の簡単な説明】
【００１５】
【図１】本発明の斜視図
【図２】本発明の分解斜視図
【図３】本発明の分解正面図
【図４】本発明の握り手側面図
【図５】本発明のプラグ配置平面図
【符号の説明】
【００１６】
１    柄
２    洗い具
３    握り手
４    下部柄
５    上部柄
６    ストップリング
６ａ  ストップリング外リング
６ｂ  ストップリング内リング
７    スポンジ状の物
８    洗い具取付棒
９    接合棒
１０    補強キャップ
１１    振動伝達軸
１２    振動器
１３    電線
１４    スイッチ
１５    バッテリー
１６    プラグ
１７    吊り下げ用キャップ
１８    防水用ゴムリング
【図１】
2006000244.tif 000003
【図２】
2006000244.tif 000004
【図３】
2006000244.tif 000005
【図４】
2006000244.tif 000006
【図５】
2006000244.tif 000007